(57)【要約】【課題】ツインテールのテール部などの髪の毛の束ねた部分を必要に応じてクラウン部外に引き出した状態で容易に被ることができるとともに、髪の毛を束ねているリボンやシュシュ等が外れたりすること無く容易に帽子を脱ぐことができる帽子を提供する。【解決手段】クラウン部１ａを形成する帽子Ａの左右の第２レンゲ１２と第３レンゲ１３の端縁同士をそれぞれ重ね合わせて、非縫着状態の重ね合わせ部１７を帽子Ａの両側に設けるとともに、重ね合わせ部１７の下端部を重ね合わせ状態を保持、解除可能なスナップボタン１８を設けた。【選択図】      図５
2018115401.tif 000002
【特許請求の範囲】
【請求項１】
周方向の一部に下端縁からクラウン部の上端部まで非縫着状態かつ帽子形成部材の重ね合わせ部を備え、
前記重ね合わせ部は、下端側に、重ね合わせ部下端の重ね合わせ状態を保持する保持解除可能な重ね合わせ状態保持手段を有していることを特徴とする帽子。
【請求項２】
重ね合わせ部の上下方向中間位置に、中間位置の重ね合わせ状態を保持する保持解除可能な重ね合わせ状態保持手段を備えている請求項１に記載の帽子。
【請求項３】
重ね合わせ部が、少なくとも帽子の両側に設けられている請求項１または請求項２に記載の帽子。
【請求項４】
重ね合わせ部の重なり幅が、上端側から下端側に向かって徐々に幅広になっている請求項１〜請求項３のいずれかに記載の帽子。
【請求項５】
重ね合わせ状態保持手段が、スナップボタンである請求項１〜請求項４のいずれかに記載の帽子。
【発明の詳細な説明】
【技術分野】
【０００１】
本発明は、たとえば、サイドテール、ツインテールやポニーテールなどのように髪の毛をリボンやシュシュなどによって束ねて形成したテール部を必要に応じてクラウン部外に出した状態で着用できる帽子に関する。
【背景技術】
【０００２】
若い女性、特に、ティーンエイジャーなどは、おしゃれのために、髪の毛を、ワンサイドに束ねるサイドテールや、両サイドに束ねるツインテールや、後頭部に束ねるポニーテールなどと称される髪型にする場合がある。
しかし、日差しを避けるために、帽子をかぶろうとすると、折角のツインテールやポニーテールのテール部分が邪魔になったり、リボンやシュシュ等が外部から見えず、ファッション性が損なわれたりする。
【０００３】
そこで、束ねた髪の毛のテール部を帽子の外におしゃれに出せるように、クラウン部分に蓋布付きの穴を備えた帽子が提案されている（特許文献１）。
すなわち、この帽子は、束ねた髪の位置に合う穴の布蓋を取り外した後、穴を介して上記テール部を帽子の内側から外側に出して、ツインテールやポニーテールのテール部を帽子外に出してファッション性を備えたものとすることができるようになっている。
【先行技術文献】
【特許文献】
【０００４】
【特許文献１】登録実用新案第3098627号公報
【発明の概要】
【発明が解決しようとする課題】
【０００５】
しかし、上記帽子の場合、クラウン部に設けた穴にテール部を帽子の内側から通す必要があるため、帽子を被りづらい。また、穴からテール部をクラウン部外に引き出す際に、テール部先端の髪の毛部分が、穴の周縁部にひっかかり、折角テール部の髪型が型崩れしたり、毛先がばらばらになって見栄えの悪いものになってしまうおそれがある。
さらに、帽子を脱ぐ際にも、髪の毛を束ねているリボンやシュシュ等が穴の縁に引っかかり、リボンやシュシュ等が外れてしまい、髪を結いなおさなければならない恐れもある。
【０００６】
また、上記帽子の場合、着脱自在に設けたいずれかの布蓋を取り外して穴を開放状態にして上記のように使用するようになっているため、布蓋をなくしてしまったりしやすいという問題がある。
【０００７】
本発明は、上記事情に鑑みて、ツインテールのテール部などの髪の毛の束ねた部分を必要に応じてクラウン部外に引き出した状態で容易に被ることができるとともに、髪の毛を束ねているリボンやシュシュ等が外れたりすること無く容易に帽子を脱ぐことができる帽子を提供することを目的としている。
【課題を解決するための手段】
【０００８】
上記目的を達成するために、本発明にかかる帽子（以下、「本発明の帽子」と記す）は、周方向の一部に下端縁からクラウン部の上端部まで非縫着状態かつ帽子形成部材の重ね合わせ部を備え、前記重ね合わせ部は、下端側に、重ね合わせ部下端の重ね合わせ状態を保持する保持解除可能な重ね合わせ状態保持手段を有していることを特徴としている。
【０００９】
また、本発明の帽子は、上記構成に加えて、重ね合わせ部の上下方向中間位置に、中間位置の重ね合わせ状態を保持する保持解除可能な重ね合わせ状態保持手段を備えている構成や、重ね合わせ部の重なり幅が、上端側から下端側に向かって徐々に幅広になっている構成としてもよい。
【００１０】
本発明の帽子は、重ね合わせ部が、少なくとも帽子の両側に設けられている構成としてもよい。
すなわち、かかる構成とすることによって、たとえば、ツインテールの両側のテール部をクラウン部外に出した状態にして容易に帽子を被ることができる。
【００１１】
本発明の帽子において、重ね合わせ状態保持手段としては、重ね合わせ状態を保持して、帽子を被った状態に保持できれば、特に限定されず、スナップボタンを用いる方法、面状ファスナー（商標名マジックファスナー）を用いる方法、重ね合わせ部の一方にボタンを取り付け、他方にこのボタンが係止できるボタンホールを設ける方法などが挙げられ、スナップボタンを用いることが好ましい。
【００１２】
本発明の帽子の形状としては、特に限定されず、たとえば、キャップ形状、ハット形状、ハンチング形状などが挙げられる。
【発明の効果】
【００１３】
本発明にかかる帽子は、以上のように、クラウン部の一部にクラウン下端から上端近傍まで非縫着状態のクラウン部形成部材の重ね合わせ部を備え、前記重ね合わせ部は、下端側に、重ね合わせ部下端の重ね合わせ状態を保持する保持解除可能な重ね合わせ状態保持手段を有しているので、束ねた髪の毛をクラウン部外に出すには、まず、束ねた髪の毛の位置に相当する重ね合わせ部の重ね合わせ状態保持手段を保持解除状態にして、重ね合わせ部を拡げた状態にして、帽子を被るようにすれば、束ねた髪の毛が型崩れすることなく、帽子を被ることができる。
また、重ね合わせ状態保持手段を保持解除状態にして、帽子を被った後、重ね合わせ部に隣接する部分の髪の毛を手で束ねた状態で重ね合わせ部を拡げながら、重ね合わせ部を構成するクラウン部形成部材の非縫着部によって形成されるスリット状の隙間を介してクラウン部外に出た状態にする。
その後、束ねた髪の毛の下方で、重ね合わせ状態保持手段を重ね合わせ保持状態にすることで、束ねた髪の毛が、重ね合わせ部を構成するクラウン部形成部材の非縫着部によって形成されるスリット状の隙間を介してクラウン部外に出た状態に帽子を被ることができる。
【００１４】
また、帽子を脱ぐ際には、まず、重ね合わせ状態保持手段を保持解除状態にして帽子を持ち上げるようにすれば、束ねた髪の毛を型崩れさせることなく、帽子を脱ぐことができる。
勿論、束ねた髪の毛をクラウン外に出さない場合は、重ね合わせ状態保持手段を重ね合わせ保持状態で帽子をそのまま被れば、普通の帽子の使用状態として使用することができる。
【図面の簡単な説明】
【００１５】
【図１】本発明にかかる帽子の第１の実施の形態をあらわし、その右側面である。
【図２】図１の帽子の左側面図である。
【図３】図１の帽子の重ね合わせ部を開放した状態の右側面図である。
【図４】図１の帽子の重ね合わせ部を開放した状態の左側面図である。
【図５】図１の帽子において、ツインテールのテール部を、クラウン部の両側から外部に出した状態の正面図である。
【図６】図５の右側面図である。
【図７】本発明にかかる帽子の第２の実施の形態をあらわす側面図である。
【発明を実施するための形態】
【００１６】
以下に、本発明を、その実施の形態をあらわす図面を参照しつつ詳しく説明する。
図１〜図６は、本発明にかかる帽子の第１の実施の形態をあらわしている。
【００１７】
図１〜図６に示すように、この帽子Ａは、クラウン部１ａと、鍔部２と、エンブレム３を備えるキャップ形状をしている。
クラウン部１ａは、クラウン部形成部材としての左右一対の第１レンゲ（ハギ）１１，１１、左右一対の第２レンゲ１２，１２、左右一対の第３レンゲ１３，１３、左右一対の第４レンゲ１４，１４およびアジャスター１５から形成されている。
【００１８】
２つの第１レンゲ１１は、クラウン部１ａの前面部を構成し、その隣接する側縁同士が上端から下端まで縫い合わされて他方の第１レンゲ１１と一体化されているとともに、下端縁が鍔部２にそれぞれ縫い合わされている。
２つの第２レンゲ１２は、一方がその一側縁を左側の第１レンゲ１１の他側縁と、他方がその一側縁を右側の第１レンゲ１１の他側縁と、それぞれ上端から下端まで縫い合わされて第１レンゲ１１と一体化されている。
【００１９】
また、第２レンゲ１２の第１レンゲ１１側の下端が鍔部にそれぞれ縫い合わされている。
すなわち、鍔部２が、第１レンゲ１１および第２レンゲ１２に支持固定されて、クラウン部１ａに一体化されている。
【００２０】
２つの第３レンゲ１３は、一方がその一側縁を左側の第２レンゲ１２の他側縁と重なり幅が下方に向かって徐々に幅広となるように、第２レンゲ１２の他側縁に下方から重ね合わされ、他方がその一側縁を左側の第２レンゲ１２の他側縁と重なり幅が下方に向かって徐々に幅広となるように、第２レンゲ１２の他側縁に下方から重ね合わされている。
すなわち、第２レンゲ１２と、第３レンゲ１３によって重ね合わせ部１７が形成されている。
【００２１】
そして、左右の第２レンゲ１２と第３レンゲ１３は、それぞれ、上端および上端から２ｃｍ〜３ｃｍ程度下方の位置に設けられた縫製部１６でのみ縫い合わせられ、その他の部分は縫い合わされていない。
【００２２】
重ね合わせ部１７は、図３〜図５に示すように、第２レンゲ１２側の下端端縁側に重ね合わせ状態保持手段としての第１スナップボタン１８の係着部材（または被係着部材）となる凹（雌）部材１８ａが取り付けられ、第３レンゲ１３の重ね合わせ部１７の凹部材１８ａに対応する部分に第１スナップボタン１８の被係着部材（または係着部材）となる凸（雄）部材１８ｂが取り付けられている。
また、重ね合わせ部１７の縫製部１６と、第１スナップボタン１８の間には、第２レンゲ１２の第３レンゲ１３側の面に第２スナップボタン１９の凹部材１９ａが取り付けられ、第３レンゲ１３の第２スナップボタン１９の凹部材１１９ａに対応する面に第２スナップボタン１９の凸部材１９ｂが取り付けられている。
【００２３】
２つの第４レンゲ１４は、下端の一側に切欠部１４ａが設けられた対称形状をしていて、切欠部１４ａが向き合うように端縁同士が縫い合わされているとともに、他側縁が、第３レンゲ１３の他側縁（重ね合わせ部１７と反対側の縁）が縫い合わされている。
また、２つの第４レンゲ１４は、切欠部１４ａの下端部間が、アジャスター１５で連結されている。
【００２４】
エンブレム３は、猫のぬいぐるみ様をした立体形状になっていて、クラウン部１ａの正面中央に縫製または接着によってクラウン部１ａに固定されている。
【００２５】
この帽子Ａは、上記のように、クラウン部１ａの両側に重ね合わせ部１７を備えていて、第１スナップボタン１８の凹部材１８ａと凸部材１８ｂの嵌合を解除するとともに、第２スナップボタン１９の凹部材１９ａと凸部材１９ｂの嵌合を解除することによって、重ね合わせ部１７を構成する第２レンゲ１２と第３レンゲ１３との間を開放することができる。
したがって、第２レンゲ１２と第３レンゲ１３との間を開放しつつ、帽子Ａを被るようにすれば、図３に示すように、ツインテールに束ねた左右のテール部Ｈ１が、第２レンゲ１２と第３レンゲ１３との間にスムーズに入り込む。
【００２６】
そして、この状態で、第１スナップボタン１８の凹部材１８ａと凸部材１８ｂを嵌合させれば、テール部Ｈ１が、縫製部１６と第１スナップボタン１８の間に形成される第２レンゲ１２と第３レンゲ１３の隙間Ｓを介してクラウン部１ａ外に出た状態に保持される。
すなわち、図６に示すように、ツインテールに束ねた両側のテール部Ｈ１が帽子Ａのクラウン部１ａの両側で外側に露出した状態に帽子Ａをおしゃれに被ることができる。
【００２７】
また、第１スナップボタン１８と縫製部１６との間に、第２スナップボタン１９が設けられているので、髪の毛を外側に出すことなく帽子Ａを使用する場合には、第１スナップボタン１８の凹部材１８ａと凸部材１８ｂを嵌合させるとともに、第２スナップボタン１９凹部材１９ａと凸部材１９ｂを嵌合させた状態にすれば、重ね合わせ部１７が開かず、通常の帽子として使用することができる。
さらに、この帽子Ａは、重ね合わせ状態保持手段として第１スナップボタン１８と第２スナップボタン１９が用いられているので、面ファスナを用いた場合に比べ、重ね合わせ状態保持手段に髪の毛が絡むということが少ない。
【００２８】
図７は、本発明の帽子の第２の実施の形態をあらわしている。
図７に示すように、この帽子Ｂは、第２レンゲ１２と第３レンゲ１３の重ね合わせ部１７に加えて、第３レンゲ１３と第４レンゲ１４の重ね合わせ部１７を設けた以外は、すなわち、クラウン部１ｂの周方向に４つの重ね合わせ部１７を設けた以外は、上記第１の実施の形態の帽子Ａと同様になっている。
【００２９】
この帽子Ｂは、上記のようになっているので、テール部Ｈ１を帽子Ｂの両側方だけでなく、クラウン部１ｂの斜め後方から外側に出すことができる。
したがって、１つの帽子で、いろいろな髪型に対応することができる。
【００３０】
本発明は、上記の実施の形態に限定されない。たとえば、上記の実施の形態では、アジャスターを備えていたが、アジャスターはなくても構わないし、アジャスターを設ける代わりに、重ね合わせ部を設けて、ポニーテールに束ねた髪の毛を上記と同様にしてクラウン部外に出せるようにしても構わない。
上記の実施の形態では、クラウン部の正面中央に立体的なぬいぐるみ様のエンブレムが縫製によって取り付けられていたが、エンブレムはなくても構わないし、エンブレムに代えて、文字や絵を印刷するようにしても構わない。
【００３１】
上記の実施の形態では、クラウン部が、四対のレンゲを用いて形成されていたが、レンゲの枚数は、所望形状のクラウン部および重ね合わせ部を形成できれば、四対より少なくても多くても構わないし、奇数枚で構成してもよい。
上記の実施の形態では、第１スナップボタンと縫製部との間に第２スナップボタンが設けられていたが、第２スナップボタンはなくても構わないし、第２スナップボタンを２つ以上間欠的に設けるようにしても構わない。
【００３２】
上記の実施の形態では、帽子がキャップ形状をしていたが、全周にわたって鍔部をそなえたハット形状をしていても構わない。かかる全周にわたって鍔部を備えたハット形状の帽子の場合、クラウン部から鍔部に連続する重ね合わせ部を設けるようにすればよい。
【符号の説明】
【００３３】
Ａ，Ｂ  帽子
１ａ，１ｂ  クラウン部
２  鍔部
３  マスコット
１１  第１レンゲ（クラウン部形成部材）
１２  第２レンゲ（クラウン部形成部材）
１３  第３レンゲ（クラウン部形成部材）
１４  第４レンゲ（クラウン部形成部材）
１５  アジャスター
１６  縫製部
１７  重ね合わせ部
１８  第１スナップボタン
１９  第２スナップボタン
１８ａ，１９ａ  凹部材（係着部材または被係着部材）
１８ｂ，１９ｂ  凸部材（係着部材または被係着部材）
１４ａ  切欠部
Ｈ１  テール部
【図１】
2018115401.tif 000003
【図２】
2018115401.tif 000004
【図３】
2018115401.tif 000005
【図４】
2018115401.tif 000006
【図５】
2018115401.tif 000007
【図６】
2018115401.tif 000008
【図７】
2018115401.tif 000009